(57)【要約】【課題】自駅に関連する他の鉄道駅における天気情報をユーザに提供することを課題とする。【解決手段】天気情報配信装置は、天気情報を取得すると、天気情報に対応する鉄道駅の属する路線を特定する。そして、路線／駅情報を参照して、特定された路線内にある鉄道駅のうち、取得された天気情報に対応する鉄道駅以外の駅に隣接する大画面表示装置に対して、取得された天気情報を配信する。例えば、Ａ駅の天気情報を取得すると、路線／駅情報を参照して、Ａ駅の属する路線であるＹ路線を特定し、特定されたＹ路線内にある駅Ｂおよび駅Ｃに隣接する大画面表示装置に対して、Ａ駅の天気情報を配信する。【選択図】図１
2010204853.tif 000002
【特許請求の範囲】
【請求項１】
各鉄道駅の天気情報を配信する天気情報配信装置であって、
鉄道の路線と当該路線内の駅との対応関係を予め記憶する対応関係記憶手段と、
各鉄道駅における天気情報を取得する天気情報取得手段と、
前記天気情報取得手段により前記天気情報が取得された場合に、前記対応関係記憶手段に記憶されている前記対応関係を参照して、前記取得された天気情報に対応する鉄道駅の属する路線を特定し、当該特定された路線内にある鉄道駅のうち、前記取得された天気情報に対応する駅以外の駅に対して、前記取得された天気情報を配信する天気情報配信手段と
を備えたことを特徴とする天気情報配信装置。
【請求項２】
鉄道駅の周辺に位置する店舗についての店舗情報を記憶する店舗情報記憶手段をさらに備え、
前記天気情報配信手段は、前記特定された路線内にある鉄道駅に対して前記取得された天気情報を配信するとともに、前記店舗情報記憶手段に記憶されている店舗情報を参照して、前記取得された天気情報に対応する鉄道駅周辺の店舗を特定し、当該特定された店舗に対して前記取得された天気情報を配信することを特徴とする請求項１に記載の天気情報配信装置。
【請求項３】
各鉄道駅の天気情報を配信する処理を行う天気情報配信装置に適用される天気情報配信方法であって、
各鉄道駅における天気情報を取得する天気情報取得ステップと、
前記天気情報取得ステップにより前記天気情報が取得された場合に、鉄道の路線と当該路線内の駅との対応関係を予め記憶する対応関係記憶手段を参照して、前記取得された天気情報に対応する鉄道駅の属する路線を特定し、当該特定された路線内にある鉄道駅のうち、前記取得された天気情報に対応する駅以外の駅に対して、前記取得された天気情報を配信する天気情報配信ステップと
を含んだことを特徴とする天気情報配信方法。
【請求項４】
前記天気情報配信手段は、前記特定された路線内にある鉄道駅に対して前記取得された天気情報を配信するとともに、鉄道駅の周辺に位置する店舗についての店舗情報を記憶する店舗情報記憶手段を参照して、前記取得された天気情報に対応する鉄道駅周辺の店舗を特定し、当該特定された店舗に対して前記取得された天気情報を配信することを特徴とする請求項３に記載の天気情報配信方法。
【請求項５】
各鉄道駅の天気情報を配信する処理をコンピュータに実行させる天気情報配信プログラムであって、
各鉄道駅における天気情報を取得する天気情報取得手順と、
前記天気情報取得手順により前記天気情報が取得された場合に、鉄道の路線と当該路線内の駅との対応関係を予め記憶する対応関係記憶手段を参照して、前記取得された天気情報に対応する鉄道駅の属する路線を特定し、当該特定された路線内にある鉄道駅のうち、前記取得された天気情報に対応する駅以外の駅に対して、前記取得された天気情報を配信する天気情報配信手順と
をコンピュータに実行させることを特徴とする天気情報配信プログラム。
【請求項６】
前記天気情報配信手順は、前記特定された路線内にある鉄道駅に対して前記取得された天気情報を配信するとともに、鉄道駅の周辺に位置する店舗についての店舗情報を記憶する店舗情報記憶手段を参照して、前記取得された天気情報に対応する鉄道駅周辺の店舗を特定し、当該特定された店舗に対して前記取得された天気情報を配信することを特徴とする請求項５に記載の天気情報配信プログラム。
【発明の詳細な説明】
【技術分野】
【０００１】
本発明は、天気情報配信装置、天気情報配信方法および天気情報配信プログラムに関する。
【背景技術】
【０００２】
従来から、気象情報をユーザに提供するサービスが存在する。例えば、各地域の天気に関する情報を収集して、地域ごとの天気情報を提供するサービスをＷｅｂにより実現する技術が提案されている。
【先行技術文献】
【非特許文献】
【０００３】
【非特許文献１】“Ｗｅａｔｈｅｒ  Ｒｅｐｏｒｔ”、［online］、ウェザーサービス株式会社、［平成２１年２月９日検索］、インターネット＜ＵＲＬ：http://www.weather-report.jp＞
【発明の概要】
【発明が解決しようとする課題】
【０００４】
ところで、上記した気象情報をユーザに提供する技術において、同一路線内にある鉄道駅など、自駅に関連する他の鉄道駅における天気情報をユーザに提供する点に焦点をあてた技術は存在しない。鉄道利用者にとっては、行き先となる駅での対処を考える上で有用であるが、気象情報をユーザに提供する技術における盲点となっていた。
【０００５】
本発明は、上記に鑑みてなされたものであって、鉄道駅が属する路線内の駅についての天気情報をユーザに提供することが可能な天気情報配信装置、天気情報配信方法および天気情報配信プログラムを提供することを目的とする。
【課題を解決するための手段】
【０００６】
上述した課題を解決し、目的を達成するために、本発明は、各鉄道駅の天気情報を配信する天気情報配信装置であって、鉄道の路線と当該路線内の駅との対応関係を予め記憶する対応関係記憶手段と、各鉄道駅における天気情報を取得する天気情報取得手段と、前記天気情報取得手段により前記天気情報が取得された場合に、前記対応関係記憶手段に記憶されている前記対応関係を参照して、前記取得された天気情報に対応する鉄道駅の属する路線を特定し、当該特定された路線内にある鉄道駅のうち、前記取得された天気情報に対応する駅以外の駅に対して、前記取得された天気情報を配信する天気情報配信手段とを備えたことを特徴とする。
【発明の効果】
【０００７】
本発明によれば、同一路線内にある鉄道駅など、鉄道駅が属する路線内の駅についての天気情報をユーザに提供できる。
【図面の簡単な説明】
【０００８】
【図１】図１は、実施例１に係る天気情報配信装置の特徴を説明するための図である。
【図２】図２は、実施例１に係る天気情報配信装置の構成を示す図である。
【図３】図３は、実施例１に係る天気情報ＤＢの構成例を示す図である。
【図４】図４は、実施例１に係る路線／駅情報ＤＢの構成例を示す図である。
【図５】図５は、実施例１に係る天気情報配信装置による処理の流れを説明するための図である。
【図６】図６は、実施例２に係る天気情報配信装置の構成を示す図である。
【図７】図７は、実施例２に係る路線／駅情報ＤＢの構成例を示す図である。
【図８】図８は、実施例２に係る天気情報配信装置による処理の流れを説明するための図である。
【図９】図９は、天気情報配信プログラムを実行するコンピュータを示す図である。
【発明を実施するための形態】
【０００９】
以下に、図面を参照しつつ、本発明にかかる天気情報配信装置、天気情報配信方法および天気情報配信プログラムの一実施形態を詳細に説明する。
【実施例１】
【００１０】
以下の実施例１では、実施例１に係る天気情報配信装置の概要および特徴、かかる天気情報配信装置の構成および処理を順に説明し、最後に実施例１による効果を説明する。なお、この実施例１により本発明が限定されるものではない。
【００１１】
［天気情報配信装置の概要および特徴（実施例１）］
実施例１に係る天気情報配信装置は、各鉄道駅の天気情報を配信することを概要とする。そして、実施例１に係る天気情報配信装置の特徴は、鉄道駅が属する路線内の駅についての天気情報をユーザに提供できる点にある。
【００１２】
以下、図１を参照しつつ、実施例１に係る天気情報配信装置の特徴について具体的に説明する。図１は、実施例１に係る天気情報配信装置の特徴を説明するための図である。同図に示すように、実施例１に係る天気情報配信装置は、公衆電話網やインターネットなどのネットワークを介して、駅（例えば、駅構内にある天気観測装置）や、駅に隣接して設置された大画面表示装置と通信可能な状態にある。
【００１３】
また、同図に示すように、実施例１に係る天気情報配信装置は、鉄道の路線と路線内の駅との対応関係を予め記憶した路線／駅情報を備える。例えば、この路線／駅情報は、Ａ駅およびＢ駅がＹ路線内に属していること、Ｃ駅がＹ路線およびＺ路線に属していることを特定可能な対応関係を有する。
【００１４】
そして、実施例１に係る天気情報配信装置は、天気情報を取得すると、天気情報に対応する鉄道駅の属する路線を特定する。そして、路線／駅情報を参照して、特定された路線内にある鉄道駅のうち、取得された天気情報に対応する鉄道駅以外の駅に隣接する大画面表示装置に対して、取得された天気情報を配信する。例えば、Ａ駅の天気情報を取得すると、路線／駅情報を参照して、Ａ駅の属する路線であるＹ路線を特定し、特定されたＹ路線内にある駅Ｂおよび駅Ｃに隣接する大画面表示装置に対して、Ａ駅の天気情報を配信する。
【００１５】
上述してきたように、実施例１に係る天気情報配信装置は、鉄道駅が属する路線内の駅についての天気情報をユーザに提供できる。そして、実施例１に係る天気情報配信装置は、鉄道駅が属する路線内の駅についての天気情報をユーザに提供できる。ユーザ側から見れば、例えば、Ｙ路線の電車を利用してＣ駅からＡ駅に向う場合に、服装や持ち物（例えば、傘）など、Ａ駅での対処を考えるための有用な情報を得ることができる。
【００１６】
［天気情報配信装置（実施例１）］
次に、図２を用いて、実施例１に係る天気情報配信装置の構成を説明する。図２は、実施例１に係る天気情報配信装置の構成を示す図である。同図に示すように、実施例１に係る天気情報配信装置２００は、公衆電話網やインターネットなどのネットワーク１を介して、駅構内にある天気観測装置１００や、駅に隣接して設置された大画面表示装置３００と通信可能な状態にある。
【００１７】
天気観測装置１００は、例えば、あらかじめ設定されている観測時間への到達を待って、鉄道駅および駅周辺の天気を観測する。具体的には、気温や気圧、風向や風速などを測るセンサーを有する一般的な観測機器を用いて、大気の状態を計測する。そして、計測結果を解析することにより鉄道駅および駅周辺の天気を観測する。なお、天気観測装置１００は、天気を観測する方法として、どのような公知の技術を使ってもよい。天気の観測を完了すると、天気観測装置１００は、観測結果である天気情報を天気情報配信装置２００に送信する。
【００１８】
大画面表示装置３００は、天気情報配信装置２００から各駅の天気情報を受信すると、受信した天気情報を対応する駅に関連付けて、周囲からの視認が可能な状態でディスプレイなどに表示出力する。
【００１９】
天気情報配信装置２００は、図２に示すように、天気情報ＤＢ２１０と、路線／駅情報ＤＢ２２０と、通信制御部２３０と、天気情報保存部２４０と、天気情報配信処理部２５０とを有する。
【００２０】
天気情報ＤＢ２１０は、天気観測装置１００から受信した天気情報と、鉄道の路線名および駅名とを対応付けて記憶する。例えば、図３に示すように、Ａ駅の天気を観測する天気観測装置１００から、「１２時２０分」に観測されたＡ駅の天気情報「雨」と、路線名「Ｙ路線」および駅名「Ａ駅」に対応付けて記憶する。図３は、実施例１に係る天気情報ＤＢの構成例を示す図である。
【００２１】
路線／駅情報ＤＢ２２０は、鉄道の路線と路線内の駅との対応関係を予め記憶する。例えば、図４に示すように、Ａ駅およびＢ駅がＹ路線内に属していること、Ｃ駅がＹ路線およびＺ路線に属していることを特定可能な対応関係が記憶される。さらに、各駅に隣接して設置されている大画面表示装置３００に関する大画面表示装置情報を駅ごとに記憶する。大画面表示装置情報は、大画面表示装置３００に天気情報を配信するためのアドレス情報などに該当する。図４は、実施例１に係る路線／駅情報ＤＢの構成例を示す図である。
【００２２】
通信制御部２３０は、天気観測装置１００や大画面表示装置３００との間でやり取りされる各種情報に関する通信を制御する。天気情報保存部２４０は、天気観測装置１００から受信された天気情報を天気情報ＤＢ２１０に保存する。
【００２３】
天気情報配信処理部２５０は、天気観測装置１００から受信した天気情報を配信する。具体的には、天気情報配信処理部２５０は、天気情報ＤＢ２１０から未配信の天気情報を取得して、取得した天気情報に対応する駅が属する路線を特定する。路線の特定後、天気情報配信処理部２５０は、特定された路線内にある駅のうち、先に取得した天気情報に対応する駅以外の駅に隣接して設置された大画面表示装置３００に対して、天気情報ＤＢ２１０から取得した未配信の天気情報を配信する。
【００２４】
例えば、図３に示す場合には、天気情報配信処理部２５０は、天気情報ＤＢ２１０から未配信の天気情報「雨」を取得し、取得した天気情報に対応するＡ駅が属する路線「Ｙ路線」を特定する。
【００２５】
路線の特定後、天気情報配信処理部２５０は、先に特定した路線「Ｙ路線」内にあるＡ駅以外の「Ｂ駅、Ｃ駅、・・・」を路線／駅情報ＤＢ２２０を参照して確定させ、確定された「Ｂ駅、Ｃ駅、・・・」に対応付けられた大画面表示情報をそれぞれ取得する。そして、天気情報配信処理部２５０は、取得した大画面表示情報を天気情報の配信先として、天気情報ＤＢ２１０から取得した未配信の天気情報を配信する。
【００２６】
また、天気情報配信処理部２５０は、取得した天気情報に対応する駅が複数の路線に属する場合には、複数の路線内の駅のそれぞれに天気情報を配信する。例えば、図３に示す場合には、天気情報配信処理部２５０は、天気情報ＤＢ２１０から取得した未配信の天気情報に対応する駅が「Ｃ駅」である場合には、Ｃ駅が属する路線「Ｙ路線」および「Ｚ路線」を特定する。
【００２７】
路線の特定後、天気情報配信処理部２５０は、先に特定した路線名「Ｙ路線」内にあるＣ駅以外の「Ａ駅、Ｂ駅、・・・」、および「Ｚ路線」内にあるＣ駅以外の「Ｄ駅、Ｆ駅、・・・」を路線／駅情報ＤＢ２２０を参照して確定させ、確定された「Ａ駅、Ｂ駅、・・・」および「Ｄ駅、Ｆ駅、・・・」に対応付けられた大画面表示情報をそれぞれ取得する。そして、天気情報配信処理部２５０は、取得した大画面表示情報を天気情報の配信先として、天気情報ＤＢ２１０から取得した未配信の天気情報を配信する。
【００２８】
天気情報の配信完了後、天気情報配信処理部２５０は、配信を完了した天気情報がわかるように、天気情報ＤＢ２１０における該当箇所に配信済みのフラグ（済み）をたてる。
【００２９】
なお、天気情報配信処理部２５０は、天気情報ＤＢ２１０に新たな天気情報が保存されるたびに、天気情報ＤＢ２１０から未配信の天気情報を取得して、リアルタイムで天気情報を配信してもよい。さらに、天気情報配信処理部２５０は、所定の時間間隔を設定した周期的なタイミングで、天気情報ＤＢ２１０から未配信の天気情報を取得して配信するようにしてもよい。
【００３０】
［天気情報配信装置による処理（実施例１）］
続いて、図５を用いて、実施例１に係る天気情報配信装置による処理の流れを説明する。図５は、実施例１に係る天気情報配信装置による処理の流れを説明するための図である。
【００３１】
同図に示すように、天気情報配信装置２００は、天気情報ＤＢ２１０から未配信の天気情報を取得して（ステップＳ１）、取得した天気情報に対応する駅が属する路線を特定する（ステップＳ２）。路線の特定後、天気情報配信処理部２５０は、特定された路線内にある駅のうち、先に取得した天気情報に対応する駅以外の駅に隣接して設置されている大画面表示装置３００に対して、天気情報ＤＢ２１０から取得した未配信の天気情報を配信する（ステップＳ３）。
【００３２】
［実施例１による効果］
上述してきたように、実施例１によれば、天気情報配信装置２００は、天気情報を取得すると、天気情報に対応する鉄道駅の属する路線を特定する。そして、特定された路線内にある鉄道駅のうち、取得された天気情報に対応する鉄道駅以外の駅を路線／駅情報ＤＢ２２０を参照して確定し、確定された駅に隣接する大画面表示装置に対して、取得された天気情報を配信する。
【００３３】
このように、実施例１によれば、同一路線内にある鉄道駅など、鉄道駅が属する路線内の駅についての天気情報をユーザに提供できる。天気情報の提供を受けるユーザ側から見れば、例えば、Ｙ路線の電車を利用してＣ駅からＡ駅に向う場合に、服装や持ち物（例えば、傘）など、Ａ駅での対処を考えるための有用な情報を得ることができる。
【００３４】
なお、上記の実施例１では、駅構内にある天気観測装置１００から送信される天気情報を受信して、各鉄道駅の天気情報を取得する場合を説明したが、これに限定されるものではなく、例えば、各鉄道駅の天気情報を一括して管理する装置などから取得するようにしてもよい。
【実施例２】
【００３５】
上記の実施例１において、例えば、鉄道駅周辺の店舗などに、同一路線内にある鉄道駅など、鉄道駅が属する路線内の駅についての天気情報を提供してもよい。そこで、以下の実施例２では、実施例２に係る天気情報配信装置の構成および処理を説明した後に、実施例１による効果を説明する。
【００３６】
［天気情報配信装置（実施例２）］
図６は、実施例２に係る天気情報配信装置の構成を示す図である。同図に示すように、実施例２に係る天気情報配信装置２００は、公衆電話網やインターネットなどのネットワーク１を介して、天気観測装置１００や大画面表示装置３００に加えて、鉄道駅周辺にある店舗装置４００と通信可能な状態にある。
【００３７】
店舗装置４００は、鉄道駅周辺にある店舗内に設置され、天気情報配信装置２００から天気情報の提供を受ける。天気情報配信装置２００からの天気情報の配信を希望する店舗は、店舗装置４００として使用する店舗内の装置に割り当てられたアドレス情報などを通知して、天気情報配信装置２００に事前の登録を行う。
【００３８】
天気情報配信装置２００は、上述した実施例１と基本的には同様の構成であるが、以下に説明する点が異なる。
【００３９】
路線／駅情報ＤＢ２２０は、図７に示すように、上記の実施例１で説明した鉄道の路線と路線内の駅との対応関係および大画面表示装置情報に加えて、鉄道駅周辺に位置する店舗装置４００に関する店舗情報を駅ごとに記憶する。店舗情報は、店舗装置４００に天気情報を配信するためのアドレス情報などに該当する。図７は、実施例２に係る路線／駅情報ＤＢの構成例を示す図である。
【００４０】
天気情報配信処理部２５０は、上述した実施例１と同様に、大画面表示装置３００に対して、天気情報ＤＢ２１０から取得した未配信の天気情報を配信するだけでなく、さらに、天気情報ＤＢ２１０から取得された天気情報に対応する駅以外の駅周辺の店舗装置に対して、天気情報ＤＢ２１０から取得した未配信の天気情報を配信する。
【００４１】
例えば、図７に示す場合には、天気情報配信処理部２５０は、天気情報ＤＢ２１０から未配信の天気情報「雨」を取得し、取得した天気情報に対応する駅が「Ａ駅」だとすると、「Ａ駅」が属する路線「Ｙ路線」を特定する。
【００４２】
路線の特定後、天気情報配信処理部２５０は、先に特定した路線「Ｙ路線」内にあるＡ駅以外の「Ｂ駅、Ｃ駅、・・・」を路線／駅情報ＤＢ２２０を参照して確定させ、確定された「Ｂ駅、Ｃ駅、・・・」に対応付けられた大画面表示情報をそれぞれ取得する。さらに、天気情報配信処理部２５０は、確定された「Ｂ駅、Ｃ駅、・・・」に対応付けられた駅周辺の店舗に関する店舗情報を取得する。そして、天気情報配信処理部２５０は、取得した大画面表示情報および店舗情報を天気情報の配信先として、天気情報ＤＢ２１０から取得した未配信の天気情報を配信する。
【００４３】
［天気情報配信装置による処理（実施例２）］
続いて、図８を用いて、実施例２に係る天気情報配信装置による処理の流れを説明する。図８は、実施例２に係る天気情報配信装置による処理の流れを説明するための図である。なお、図８に示すステップＳ１およびステップＳ２は、上記の実施例１において説明した図５に示すステップＳ１およびステップＳ３と同様であるが、図８に示すステップＳ３が上記の実施例１とは異なる。
【００４４】
すなわち、上記の実施例１と同様に、天気情報配信装置２００は、天気情報ＤＢ２１０から未配信の天気情報を取得して（ステップＳ１）、取得した天気情報に対応する駅が属する路線を特定する（ステップＳ２）。
【００４５】
そして、天気情報配信処理部２５０は、路線の特定後、天気情報ＤＢ２１０から取得した天気情報に対応する駅以外の駅に隣接して設置されている大画面表示装置３００に対して、天気情報ＤＢ２１０から取得した未配信の天気情報を配信するだけでなく、さらに、天気情報ＤＢ２１０から取得された天気情報に対応する駅以外の駅周辺の店舗装置に対して、天気情報ＤＢ２１０から取得した未配信の天気情報を配信する。特定された路線内にある駅に隣接して設置された大画面表示装置３００に対して、天気情報ＤＢ２１０から取得した未配信の天気情報を配信する（ステップＳ３）。
【００４６】
［実施例２による効果］
上述してきたように、実施例２によれば、駅に隣接して設置されている大画面表示装置３００だけでなく、駅周辺に位置する店舗の店舗装置４００に対して天気情報を配信する。このようなことから、鉄道駅の近隣に店舗を構える商店などに、鉄道駅が属する路線内の駅についての天気情報を提供できる。天気情報の提供を受ける店舗側からみれば、天気に応じた傘などの商品販売を行うビジネスチャンスをつかむ上で有用な情報を得ることができる。
【実施例３】
【００４７】
以下、本発明にかかる通信処理装置、通信処理方法および通信処理プログラムの他の実施形態として実施例２を説明する。
【００４８】
（１）装置構成等
図２に示した天気情報配信装置２００の各構成要素は機能概念的なものであり、必ずしも物理的に図示の如く構成されていることを要しない。すなわち、天気情報配信装置２００の分散・統合の具体的形態は図示のものに限られず、例えば、天気情報保存部２４０と天気情報配信処理部２５０とを統合する。このように、天気情報配信装置２００の全部または一部を、各種の負荷や使用状況などに応じて、任意の単位で機能的または物理的に分散・統合して構成することができる。さらに、天気情報配信装置２００にて行なわれる各処理機能（図５や図８等参照）は、その全部または任意の一部が、ＣＰＵおよび当該ＣＰＵにて解析実行されるプログラムにて実現され、あるいは、ワイヤードロジックによるハードウェアとして実現され得る。
【００４９】
（２）天気情報配信方法
上記の実施例で説明した天気情報配信装置２００により、以下のような天気情報配信方法が実現される。
【００５０】
すなわち、各鉄道駅における天気情報を取得する天気情報取得ステップ（例えば、図５のステップＳ１参照）と、当該天気情報取得ステップにより天気情報が取得された場合に、鉄道の路線と当該路線内の駅との対応関係を予め記憶する対応関係記憶手段を参照して、先に取得された天気情報に対応する鉄道駅の属する路線を特定し、当該特定された路線内にある鉄道駅のうち、先に取得された天気情報に対応する駅以外の駅に対して、先に取得された天気情報を配信する天気情報配信ステップ（例えば、図５のステップＳ２およびＳ３参照）とを含んだ天気情報配信方法が実現される。
【００５１】
（３）天気情報配信処理プログラム
また、上記の実施例で説明した天気情報配信装置２００の各種の処理（例えば、図５や図８等参照）は、あらかじめ用意されたプログラムをパーソナルコンピュータやワークステーションなどのコンピュータシステムで実行することによって実現することができる。そこで、以下では、図９を用いて、上記の実施例と同様の機能を有する天気情報配信処理プログラムを実行するコンピュータの一例を説明する。図９は、天気情報配信処理プログラムを実行するコンピュータを示す図である。
【００５２】
同図に示すように、天気情報配信装置２００としてコンピュータ５００は、通信制御部５１０、ＨＤＤ５２０、ＲＡＭ５３０およびＣＰＵ５４０をバス６００で接続して構成される。
【００５３】
ここで、通信制御部５１０は、各種情報のやり取りに関する通信を制御する。ＨＤＤ５２０は、ＣＰＵ５４０による各種処理の実行に必要な情報を記憶する。ＲＡＭ５３０は、各種情報を一時的に記憶する。ＣＰＵ５４０は、各種演算処理を実行する。
【００５４】
そして、ＨＤＤ５２０には、図９に示すように、上記の実施例に示した天気情報配信装置２００の各処理部と同様の機能を発揮する天気情報配信処理プログラム５２１と、天気情報配信処理用データ５２２とがあらかじめ記憶されている。なお、この天気情報配信処理プログラム５２１を適宜分散させて、ネットワークを介して通信可能に接続された他のコンピュータの記憶部に記憶させておくこともできる。
【００５５】
そして、ＣＰＵ５４０が、この天気情報配信処理プログラム５２１をＨＤＤ５２０から読み出してＲＡＭ５３０に展開することにより、図９に示すように、天気情報配信処理プログラム５２１は天気情報配信処理プロセス５３１として機能するようになる。すなわち、天気情報配信処理プロセス５３１は、天気情報配信処理用データ５２２等をＨＤＤ５２０から読み出して、ＲＡＭ５３０において自身に割り当てられた領域に展開し、この展開したデータ等に基づいて各種処理を実行する。なお、天気情報配信処理プロセス５３１は、図２に示した天気情報配信装置２００の天気情報配信処理部２５０などにおいて実行される処理に対応する。
【００５６】
なお、上記した天気情報配信処理プログラム５２１については、必ずしも最初からＨＤＤ５２０に記憶させておく必要はなく、例えば、コンピュータ５００に挿入されるフレキシブルディスク（ＦＤ）、ＣＤ−ＲＯＭ、ＤＶＤディスク、光磁気ディスク、ＩＣカードなどの「可搬用の物理媒体」、さらには、公衆回線、インターネット、ＬＡＮ、ＷＡＮなどを介してコンピュータ５００に接続される「他のコンピュータ（またはサーバ）」などに各プログラムを記憶させておき、コンピュータ５００がこれらから各プログラムを読み出して実行するようにしてもよい。
【産業上の利用可能性】
【００５７】
以上のように、本発明にかかる天気情報配信装置、天気情報配信方法および天気情報配信プログラムは、各鉄道駅の天気情報を配信することに有用であり、特に、鉄道駅が属する路線内の駅についての天気情報をユーザに提供することに適している。
【符号の説明】
【００５８】
１  ネットワーク
１００  天気観測装置
２００  天気情報配信装置
２１０  天気情報ＤＢ
２２０  路線／駅情報ＤＢ
２３０  通信制御部
２４０  天気情報保存部
２５０  天気情報配信処理部
３００  大画面表示装置
４００  店舗装置
５００  コンピュータ
５１０  通信制御部
５２０  ＨＤＤ（Hard Disk Drive）
５２１  天気情報配信処理プログラム
５２２  天気情報配信処理用データ
５３０  ＲＡＭ（Random Access Memory）
５３１  天気情報配信処理プロセス
５４０  ＣＰＵ（Central Processing Unit）
６００  バス
【図１】
2010204853.tif 000003
【図２】
2010204853.tif 000004
【図３】
2010204853.tif 000005
【図４】
2010204853.tif 000006
【図５】
2010204853.tif 000007
【図６】
2010204853.tif 000008
【図７】
2010204853.tif 000009
【図８】
2010204853.tif 000010
【図９】
2010204853.tif 000011